(57)【要約】【課題】取手を取り付けることなく、扉を容易に開閉でき、かつ、意匠性も優れた収納家具を提供する。【解決手段】ボックス１の開口を開閉する扉２がその一辺部を軸として回動自在にボックス１に取り付けられており、ボックス１は、ボックス本体３と、側端部をボックス本体３の開口部より突出して設けられた化粧板４とを備え、扉２の側端面は内側に傾斜した第１傾斜面６となっており、化粧板４の側端面は内側に傾斜した第２傾斜面７となっており、これら第１傾斜面６と第２傾斜面７とは、前記扉２の閉じ位置において、離間しているので、取手がなくても、この隙間に手の指を入れて扉２を容易に開くことができる。【選択図】図５
2006102313.tif 000002
【特許請求の範囲】
【請求項１】
箱状のボックスと、このボックスの開口を開閉する扉とを備え、この扉がその一辺部を軸として回動自在に前記ボックスに取り付けられた収納家具であって、
前記ボックスは、箱状のボックス本体と、このボックス本体の外面にこの外面を覆うように、かつ、側端部を前記ボックス本体の開口部より突出して設けられた化粧板とを備え、
前記扉の側端面は内側に傾斜した第１傾斜面となっており、
前記化粧板の側端面は内側に傾斜した第２傾斜面となっており、
これら第１傾斜面と第２傾斜面とは、前記扉の閉じ位置において、離間していることを特徴とする収納家具。
【請求項２】
請求項１に記載の収納家具において、
前記ボックス本体の開口部端面には、前記扉の閉じ位置において、該扉の側端部裏面が当接または近接されていることを特徴とする収納家具。
【請求項３】
請求項１または２に記載の収納家具において、
前記第１傾斜面と第２傾斜面とは、該扉の閉じ位置において、外側に向かうほど離間するように傾斜していることを特徴とする収納家具。
【請求項４】
請求項１〜３のいずれか一項に記載の収納家具において、
前記扉の第１傾斜面と扉の表面とが交差する交差部は、前記扉の閉じ位置において、前記第２傾斜面より内側に位置していることを特徴とする収納家具。
【請求項５】
請求項１〜４のいずれか一項に記載の収納家具において、
前記ボックス本体の開口部端面には、前記扉を開ける際に、該扉の側端部裏面を外側に押圧する押圧部材が設けられていることを特徴とする収納家具。
【発明の詳細な説明】
【技術分野】
【０００１】
本発明は、住宅等に設けられる収納家具に関する。
【背景技術】
【０００２】
住宅等には、その床や壁に収納家具が設けられる。このような収納家具としては、その開口部が開放されたものや、開口部を扉によって開閉するようにしたものがある。開口部を扉によって開閉するには、例えば、扉をその一辺部を軸として回動自在に収納家具に取り付けるようにしている（例えば、特許文献１参照）。
このように扉を取り付けることによって、収納家具の内部を隠すことができるとともに、収納家具内への塵や埃の侵入を防止することができる。
【特許文献１】特開２００１−２３８７４号公報
【発明の開示】
【発明が解決しようとする課題】
【０００３】
ところで、上記公報に記載の収納家具では、その扉を開閉するために、扉の前面に取手を取り付けているので、例えば、このような収納家具を壁一面に沿って取り付けた場合、ある扉を開閉する際に、隣の扉の取手が邪魔になったり、被服等に引っ掛かったりして、扉のスムーズな開閉を妨げる場合がある。
また、壁面側に取手が多数突出していると、これら取手のために壁側が雑然として、見映えがよくないという問題もある。さらに、取手の分だけ、部品点数も増加してしまう。
【０００４】
本発明は上記事情に鑑みてなされたもので、取手を取り付けることなく、扉を容易に開閉でき、かつ、意匠性も優れた収納家具を提供することを課題としている。
【課題を解決するための手段】
【０００５】
上記課題を解決するために、請求項１に記載の発明は、例えば図１〜図５に示すように、箱状のボックス１と、このボックス１の開口を開閉する扉２とを備え、この扉２がその一辺部を軸として回動自在に前記ボックス１に取り付けられた収納家具であって、
前記ボックス１は、箱状のボックス本体３と、このボックス本体３の外面にこの外面を覆うように、かつ、側端部を前記ボックス本体３の開口部より突出して設けられた化粧板４とを備え、
前記扉２の側端面は内側に傾斜した第１傾斜面６となっており、
前記化粧板４の側端面は内側に傾斜した第２傾斜面７となっており、
これら第１傾斜面６と第２傾斜面７とは、前記扉２の閉じ位置において、離間していることを特徴とする。
【０００６】
ここで、扉はその上辺部、下辺部、左辺部、右辺部のうちのいずれか一辺部を軸として回動自在にボックスに取り付ければよい。上辺部を取り付ければ扉は下開きとなり、下辺部を取り付ければ扉は上開きとなり、左右辺部を取り付ければ扉は横開きとなる。
また、扉の側端面とは、扉の一辺部以外のその他の辺部に沿う側端面のことを意味する。そして、この側端面が内側に傾斜するとは、この側端面と扉の前面とが鋭角となるように、傾斜することを意味する。
さらに、化粧板の側端面とは、ボックス本体の開口部より突出している化粧板の側端部における側端面のことを意味する。そして、この側端面が内側に傾斜するとは、この側端面と化粧板の表面とが鋭角となるように、傾斜することを意味する。
【０００７】
請求項１に記載の発明によれば、扉２の側端面が第１傾斜面６となっており、化粧板４の側端面が第２化粧面７となっており、これら第１傾斜面６と第２傾斜面７とは、前記扉２の閉じ位置において、離間しているので、その間に手を挿入し、扉２を外側に引き込むことによって、該扉２を容易に開けることができる。また、開いている扉２の第１傾斜面６を手で保持しつつ、該扉２を押し込むことによって、扉２を容易に閉じることができる。
また、扉開閉用の取手が不要なるので、その分、部品点数も減少でき、さらには、扉２の表面全体が凹凸のない平面となるので、意匠性にも優れたものとなる。
【０００８】
請求項２に記載の発明は、請求項１に記載の収納家具において、
前記ボックス本体３の開口部端面１０には、前記扉２の閉じ位置において、該扉２の側端部裏面が当接または近接されていることを特徴とする。
【０００９】
請求項２に記載の発明によれば、扉２の閉じ位置において、ボックス本体３の開口部端面１０に扉２の側端部裏面が当接または近接されているので、ボックス本体３の開口部を扉２によって確実に閉塞できる。したがって、扉２の第１傾斜面６と化粧板４の第２傾斜面７とが、扉２の閉じ位置において、離間していても、この隙間からボックス本体３の中が見えることもなく、また、塵や埃が侵入するのを防止できる。
【００１０】
請求項３に記載の発明は、請求項１または２に記載の収納家具において、
前記第１傾斜面６と第２傾斜面７とは、該扉２の閉じ位置において、外側に向かうほど離間するように傾斜していることを特徴とする。
【００１１】
請求項３に記載の発明によれば、第１傾斜面６と第２傾斜面７とが、扉２の閉じ位置において、外側に向かうほど離間するように傾斜しているので、これら傾斜面６，７間に手の指等が入り易くなり、よって、扉２を容易に開くことができる。
【００１２】
請求項４に記載の発明は、請求項１〜３のいずれか一項に記載の収納家具において、
前記扉２の第１傾斜面６と扉２の表面とが交差する交差部８は、前記扉２の閉じ位置において、前記第２傾斜面７より内側に位置していることを特徴とする。
【００１３】
第２傾斜面より内側とは、第２傾斜面よりボックス本体の開口部の内側という意味である。
【００１４】
請求項４に記載の発明によれば、扉２の第１傾斜面６と扉２の表面とが交差する交差部８が、扉２の閉じ位置において、第２傾斜面７より内側に位置しているので、扉２を正面視した場合に、扉２の周囲に第２傾斜面７が奥まって見える。そして、この第２傾斜面７は、扉２の回転軸となる一辺部以外の全ての辺部側にあるので、扉２が第２傾斜面７から浮いているように立体的に見えるので、見映えがよくなる。
【００１５】
請求項５に記載の発明は、請求項１〜４のいずれか一項に記載の収納家具において、
前記ボックス本体３の開口部端面１０には、前記扉２を開ける際に、該扉２の側端部裏面を外側に押圧する押圧部材１１が設けられていることを特徴とする。
【００１６】
請求項５に記載の発明によれば、扉２を開ける際に、押圧部材１１によって扉２が外側に押圧されることによって、第１傾斜面６と第２傾斜面７との間の隙間が大きく開くので、この隙間に手の指を容易に入れることができ、さらに、扉２を容易に開くことができる。
【発明の効果】
【００１７】
本発明によれば、箱状のボックス本体と、このボックス本体の外面にこの外面を覆うように、かつ、側端部を前記ボックス本体の開口部より突出して設けられた化粧板とを備え、前記扉の側端面は内側に傾斜した第１傾斜面となっており、前記化粧板の側端面は内側に傾斜した第２傾斜面となっており、これら第１傾斜面と第２傾斜面とは、前記扉の閉じ位置において、離間しているので、その間に手を挿入し、扉を外側に引き込むことによって、該扉を容易に開けることができる。また、開いている扉の第１傾斜面を手で保持しつつ、該扉を押し込むことによって、扉を容易に閉じることができる。
また、扉開閉用の取手が不要なるので、その分、部品点数も減少でき、さらには、扉の表面全体が凹凸のない平面となるので、意匠性にも優れたものとなる。
【発明を実施するための最良の形態】
【００１８】
以下、図面を参照して、本発明の実施の形態について説明する。
図１〜図５は、本発明に係る収納家具の一例を示すもので、図１は扉が閉じた状態を示す収納家具の斜視図、図２は扉が若干開いた状態を示す収納家具の斜視図、図３は扉がとじた状態を示す収納家具の側断面図、図４は扉が開いた状態を示す収納家具の側断面図、図５は図３におけるＸ円部の拡大図である。
【００１９】
図１〜図４に示すように、収納家具は直方体状に形成されたものであり、箱状のボックス１と、このボックスの前面の開口を開閉する扉２とを備えている。
ボックス１は、箱状のボックス本体３と、化粧板４とを備えている。
ボックス本体３は、天板３ａ、底板３ｂ、側板３ｃ、背板３ｄと、底板３ｂの上面に固定されて、収納物が載置される載置板３ｅとを備えている。
天板３ａ、底板３ｂ、側板３ｃ，３ｃ、背板３ｄは長方形板状の合板で形成されており、前面が開口した箱状となるように組立てられている。そして、天板３ａ、底板３ｂ、載置板ｅ、側板３ｃ，３ｃの側端面によって、ボックス本体３の矩形状をなす開口部端面が構成されている。つまり、天板３ａ、底板３ｂ、載置板ｅ、側板３ｃ，３ｃのそれぞれの右側端面は、面一となっており、これら右側端面によってボックス本体３の開口部端面が構成されている。
【００２０】
前記扉２は、長方形板状に形成されており、その上辺部がフラップヒンジ５によってボックス本体３の天板３ａの側端部に取り付けられている。したがって、扉２はその上辺部を軸として回動自在にボックス１に取り付けられており、扉２はそれが略水平となるまで開くことができるようになっている。
また、扉２の上辺部以外の側端面、つまり、下辺部と左右の辺部との３つの側端面は、内側に傾斜した第１傾斜面６となっている。
【００２１】
前記化粧板４は、天板３ａ、底板３ｂ、側板３ｃ，３ｃ、にそれぞれこれらの外面を覆うようにして貼り付けられた板状のものであり、その表面には木目模様等の化粧が施されている。また、化粧板４の側端部は、ボックス本体３の開口部より突出して設けられており、その側端面は内側に傾斜した第２傾斜面７となっている。また、この第２傾斜面７はその傾斜方向の長さが、第１傾斜面６の傾斜方向の長さより小さくなっている。
【００２２】
そして、第１傾斜面６と第２傾斜面７とは、図５に示すように、扉２の閉じ位置（図３および図５に示す扉２の位置）において、離間している。
また、第１傾斜面６と第２傾斜面７とは、扉２の閉じ位置において、外側に向かうほど離間するように傾斜している。すなわち、扉２の前面と第１傾斜面６とのなす角をα、扉２の前面と第２傾斜面７とのなす角をβとすると、α＞βとなるように、第１傾斜面６と第２傾斜面７との傾斜角が設定されており、これによって、第１傾斜面６と第２傾斜面７とは、扉２の閉じ位置において、外側に向かうほど離間するように傾斜している。
さらに、扉２の第１傾斜面６と扉２の表面（前面）とが交差する交差部８は、扉２の閉じ位置において、第２傾斜面７より内側に位置している。つまり、交差部８は、第２傾斜面７よりボックス本体３の開口部の内側に位置している。
【００２３】
また、ボックス本体３の開口部端面１０には、扉２の閉じ位置において、扉２の側端部裏面が当接または近接されている。さらに、ボックス本体３の開口部端面１０には、扉２を開ける際に、該扉２の側端部裏面を外側に押圧する押圧部材１１が設けられている。この押圧部材１１は、扉２の閉じ位置では、縮小した状態にあり、その先端面が扉２の裏面に取り付けられた、受材１２に当接されている。押圧部材１１は、それを少し押し込むと、内部に設けられたばねによって外側に向けて弾性的に伸張して、扉２の側端部裏面を外側に押圧するようになっている。
また、扉２を閉じる際は、伸張した状態の押圧部材１１に扉２の側端部裏面の受け材１２を当接したうえで、扉２を押し込むことによって押圧部材１１が縮小してその状態でロックされるようになっている。また、押圧部材１１の先端部は磁石となっており、受け材１２は鉄板で形成されている。したがって、扉２を閉じた状態では、縮小した押圧部材１１の先端面に受け材１２が磁力によって吸引固定されており、これによって、扉２が閉じた状態に保持されている。
【００２４】
以上のように構成された収納家具では、扉２の側端面が第１傾斜面６となっており、化粧板４の側端面が第２化粧面７となっており、これら第１傾斜面６と第２傾斜面７とは、扉２の閉じ位置において、離間しているので、その間に手を挿入し、扉２を外側に引き込むことによって、該扉２を容易に開けることができる。
また、開いている扉２の第１傾斜面６を手で保持しつつ、該扉６を押し込むことによって、扉６を容易に閉じることができる。
また、扉開閉用の取手が不要なるので、その分、部品点数も減少でき、さらには、扉２の表面全体が凹凸のない平面となるので、意匠性にも優れたものとなる。
【００２５】
また、扉２の閉じ位置において、ボックス本体３の開口部端面１０に扉２の側端部裏面が当接または近接されているので、ボックス本体３の開口部を扉２によって確実に閉塞できる。したがって、扉２の第１傾斜面６と化粧板４の第２傾斜面７とが、扉２の閉じ位置において、離間していても、この隙間からボックス本体３の中が見えることもなく、また、塵や埃が侵入するのを防止できる。
さらに、第１傾斜面６と第２傾斜面７とが、扉２の閉じ位置において、外側に向かうほど離間するように傾斜しているので、これら傾斜面間に手の指等が入り易くなり、よって、扉を容易に開くことができる。
加えて、扉２の第１傾斜面６と扉６の表面とが交差する交差部８が、扉２の閉じ位置において、第２傾斜面７より内側に位置しているので、図１に示すように、扉２を正面視した場合に、扉２の周囲に第２傾斜面７が奥まって見える。そして、この第２傾斜面７は、扉２の回転軸となる上辺部以外の全ての辺部側にあるので、扉２が第２傾斜面７から浮いているように立体的に見えるので、見映えがよくなる。
また、図２に示すように、扉２を開ける際に、押圧部材１１によって扉２が外側に押圧されることによって、第１傾斜面６と第２傾斜面７との間の隙間が大きく開くので、この隙間に手の指を容易に入れることができ、さらに、扉２を容易に開くことができる。
【図面の簡単な説明】
【００２６】
【図１】本発明に係る収納家具の一例を示すもので、扉が閉じた状態の収納家具の斜視図である。
【図２】同、扉が若干開いた状態を示す収納家具の斜視図である。
【図３】同、扉がとじた状態を示す収納家具の側断面図である。
【図４】同、扉が開いた状態を示す収納家具の側断面図である。
【図５】図３におけるＸ円部の拡大図である。
【符号の説明】
【００２７】
１  ボックス
２  扉
３  ボックス本体
４  化粧板
６  第１傾斜面
７  第２傾斜面
８  交差部
１０  開口部端面
１１  押圧部材
【図１】
2006102313.tif 000003
【図２】
2006102313.tif 000004
【図３】
2006102313.tif 000005
【図４】
2006102313.tif 000006
【図５】
2006102313.tif 000007